【手続補正書】
【提出日】平成25年1月18日(2013.1.18)
【手続補正１】
【補正対象書類名】特許請求の範囲
【補正対象項目名】全文
【補正方法】変更
【補正の内容】
【特許請求の範囲】
【請求項１】
複数の端末とインターネット網を介して接続されるコンピュータサーバを用いた電話番号情報の判定装置であって、
複数の電話番号の使用履歴情報を記憶するデータベースと、
前記端末から認証情報を受信し認証手段がログインを許可することを条件として、前記端末から検索情報として電話番号を受付ける検索情報受付手段と、
前記検索情報受付手段が受付けた電話番号を用いて前記データベースを検索し、電話番号履歴情報の未蓄積履歴、前記電話番号履歴情報の中に加入状態から欠番状態へ遷移する複数の履歴、前記電話番号履歴情報の中に欠番状態から加入状態へ遷移する複数の履歴、前記電話番号履歴情報の直近調査記録が欠番履歴、前記直近調査記録より一つ前の調査記録が欠番履歴、前記電話番号履歴情報の中に複数の通話停止履歴が、それぞれ存在するか否かを逐次判定し、何れの履歴も判定されないことを条件として前記検索情報の電話番号を所定の加入者番号と判定する履歴判定情報を生成し、この履歴判定情報を前記端末へ前記インターネット網を介して表示させるシステム制御手段と、
を備えることを特徴とする電話番号情報の判定装置。
【請求項２】
複数の端末とインターネット網を介して接続されるコンピュータサーバを用いた電話番号情報の判定装置であって、
複数の電話番号の使用履歴情報、前記端末から参照された電話番号の参照回数およびアクセスログを参照回数情報として記憶するデータベースと、
前記端末からアカウントを含む認証情報を受信しログインを許可する認証手段と、
前記認証手段が前記端末のログインを許可することを条件として、前記端末から検索情報の電話番号を受付ける検索情報受付手段と、
前記検索情報受付手段が受付けた電話番号を用いて前記データベースを検索し、電話番号履歴情報の未蓄積履歴、前記電話番号履歴情報の中に加入状態から欠番状態へ遷移する複数の履歴、前記電話番号履歴情報の中に欠番状態から加入状態へ遷移する複数の履歴、前記電話番号履歴情報の直近調査記録が欠番履歴、前記直近調査記録より一つ前の調査記録が欠番履歴、前記電話番号履歴情報の中に複数の通話停止履歴が、それぞれ存在するか否かを逐次判定し、何れの履歴も判定されないことを条件として前記検索情報の電話番号に対して所定の加入者番号と判定する履歴判定情報を生成し、前記端末が検索している電話番号の参照回数情報を前記データベースから読み出し、検索している電話番号履歴情報および前記履歴判定情報並びに前記参照回数情報を合成した検索結果情報を前記端末へ前記インターネット網を介して表示させるシステム制御手段と、
前記検索情報受付手段が受付けた電話番号の参照回数情報を増分し、前記アカウントを前記アクセスログへ追加して前記データベースを更新するアクセスカウンタ手段と、
を備えることを特徴とする電話番号情報の判定装置。
【請求項３】
複数の端末とインターネット網を介して接続されるコンピュータサーバを用いた電話番号情報の判定装置であって、
複数の電話番号の使用履歴情報、電話番号地域情報、前記端末から参照された電話番号の参照回数およびアクセスログを参照回数情報として記憶するデータベースと、
前記端末からアカウントを含む認証情報を受信しログインを許可する認証手段と、
前記認証手段が前記端末のログインを許可することを条件として、前記端末から検索情報として電話番号および郵便番号情報を受付ける検索情報受付手段と、
前記検索情報受付手段が受付けた電話番号を用いて前記データベースを検索し、電話番号履歴情報の未蓄積履歴、前記電話番号履歴情報の中に加入状態から欠番状態へ遷移する複数の履歴、前記電話番号履歴情報の中に欠番状態から加入状態へ遷移する複数の履歴、前記電話番号履歴情報の直近調査記録が欠番履歴、前記直近調査記録より一つ前の調査記録が欠番履歴、前記電話番号履歴情報の中に複数の通話停止履歴が、それぞれ存在するか否かを逐次判定し、何れの履歴も判定されないことを条件として前記検索情報の電話番号に対して所定の加入者番号と判定する履歴判定情報を生成し、前記郵便番号情報を用いて前記データベースから電話番号地域情報を検索しエリア情報を出力するとともに検索している電話番号の局番地域と一致するか否かを判定して地域判定情報を出力し、前記端末が検索している電話番号の参照回数情報を前記データベースから読み出し、検索している電話番号履歴情報と前記履歴判定情報と前記参照回数情報と前記エリア情報と地域判定情報とを合成した検索結果情報を前記端末へ前記インターネット網を介して表示させるシステム制御手段と、
前記検索情報受付手段が受付けた電話番号の検索情報に対応する電話番号の参照回数情報を増分し、前記アカウントを前記アクセスログへ追加して前記データベースを更新するアクセスカウンタ手段と、
を備えることを特徴とする電話番号情報の判定装置。
【請求項４】
複数の端末とインターネット網を介して接続されるコンピュータサーバを用いた電話番号情報の判定装置であって、
複数の端末から参照された電話番号の参照回数およびアクセスログを参照回数情報として記憶するデータベースと、
前記端末から認証情報を受信し認証手段がログインを許可することを条件として、前記端末から検索情報として電話番号を受付ける検索情報受付手段と、検索情報受付手段が受付けた電話番号を用いて前記データベースを検索し、参照回数情報を読み出して前記端末へインターネット網を介して、業界の種類毎の参照回数を前記端末のディスプレイに表示させるシステム制御手段と、
前記検索情報受付手段が受付けた電話番号の検索情報に対応する電話番号の参照回数情報を増分し、前記アカウントを前記アクセスログへ追加して前記データベースを更新するアクセスカウンタ手段と、
を備える電話番号情報の判定装置。
【請求項５】
前記システム制御手段は、前記検索情報受付手段が受付けた検索情報の電話番号をＩＳＤＮ発信手段を用いてＩＳＤＮ網へ電話をかけたときの網情報を検出し、前記検索情報の電話番号が現在使用されているのか現在未使用なのかをリアル判定手段が判定したリアル判定情報を前記端末へ前記インターネット網を介して表示させる請求項１乃至請求項４に記載の電話番号情報の判定装置。
【手続補正２】
【補正対象書類名】明細書
【補正対象項目名】０００９
【補正方法】変更
【補正の内容】
【０００９】
上記目的を達成するために、本発明の電話番号情報の判定装置は、例えば、図１に示すように、複数の端末１０ａ、１０ｂとインターネット網１２を介して接続されるコンピュータサーバを用いた電話番号情報の判定装置１であって、複数の電話番号の使用履歴情報を記憶するデータベース１４と、端末１０ａから認証情報を受信し認証手段がログインを許可することを条件として、端末１０ａから検索情報として電話番号を受付ける検索情報受付手段と、検索情報受付手段が受付けた電話番号を用いてデータベース１４を検索し、電話番号履歴情報の未蓄積履歴、電話番号履歴情報の中に加入状態から欠番状態へ遷移する複数の履歴、電話番号履歴情報の中に欠番状態から加入状態へ遷移する複数の履歴、電話番号履歴情報の直近調査記録が欠番履歴、直近調査記録より一つ前の調査記録が欠番履歴、電話番号履歴情報の中に複数の通話停止履歴が、それぞれ存在するか否かを逐次判定し、何れの履歴も判定されないことを条件として検索情報の電話番号を所定の（長期）加入者番号と判定する履歴判定情報を生成し、この履歴判定情報を端末１０ａへインターネット網１２を介して表示させるシステム制御手段と、を備えることを要旨とする。
【手続補正３】
【補正対象書類名】明細書
【補正対象項目名】００１１
【補正方法】変更
【補正の内容】
【００１１】
また、本発明の電話番号情報の判定装置は、複数の端末１０ａ、１０ｂとインターネット網１２を介して接続されるコンピュータサーバを用いた電話番号情報の判定装置であって、複数の端末１０ａ、１０ｂから参照された電話番号の参照回数およびアクセスログを参照回数情報として記憶するデータベース１４と、端末１０ａから認証情報を受信し認証手段がログインを許可することを条件として、端末１０ａから検索情報として電話番号を受付ける検索情報受付手段と、検索情報受付手段が受付けた電話番号を用いてデータベース１４を検索し、参照回数情報を読み出して端末１０ａへインターネット網を介して、業界の種類毎の参照回数を端末１０ａのディスプレイに表示させるシステム制御手段と、検索情報受付手段が受付けた電話番号の検索情報に対応する電話番号の参照回数情報を増分し、アカウントをアクセスログへ追加してデータベース１４を更新するアクセスカウンタ手段と、を備えることを要旨とする。
【手続補正４】
【補正対象書類名】明細書
【補正対象項目名】００３１
【補正方法】変更
【補正の内容】
【００３１】
システム制御部２０は、認証部１６が認証したアカウントと認証日時に対応させてアクセスカウンタ部２２がカウントアップする参照回数情報をデータベースＤＢ１４に記録または更新することで、複数の端末から過去に参照された参照回数を業界（金融業界）の種類ごとに分類して端末１０ａに表示する。また、情報検索結果表示領域４０の表示が完了した後に、操作者がポインタを参照回数の右側ボタン内に表示するアカウントグループ文字、例えば「金融」をクリック操作すると、電話番号情報の判定装置１から送信された参照回数情報の中のアクセスログを端末１０ａのディスプレイにバルーンメッセージ４６内に表示する。